(57)【要約】【課題】信号処理回路で必要とされる画像信号の使用帯域をできるだけ抑える必要があった。【解決手段】信号処理回路４は、ＲＧＢの４Ｋ画像信号を分離したＹＣの４Ｋ画像信号を４Ｋ（ＹＣ）領域３４ａに書き込む第１の現像部２３と、ＲＧＢの４Ｋ画像信号とは異なる解像度としたＲＧＢの２Ｋ画像信号に変換する第１の解像度変換部２４を備える。また、ＲＧＢの２Ｋ画像信号を分離したＹＣの２Ｋ画像信号をメモリ３４の２Ｋ（ＹＣ）領域３４ｂに書き込む第２の現像部２５と、インターフェース部を備える。インターフェース部は、所定のインターフェース規格による伝送路によって周辺機器に接続される。そして、４Ｋ（ＹＣ）領域３４ａに対してＹＣの４Ｋ画像信号の読み出し若しくは書込みを行い、又は２Ｋ（ＹＣ）領域３４ｂに対してＹＣの２Ｋ画像信号を読み出し若しくは書込みを行って、周辺機器にＹＣの４Ｋ画像信号又はＹＣの２Ｋ画像信号を入出力する。【選択図】図３
2014093656.tif 000002
【特許請求の範囲】
【請求項１】
ＲＡＷデータを、第１の解像度としたＲＧＢのｓ画像信号に色分離する色分離部と、
前記ＲＧＢのｓ画像信号を輝度信号Ｙと色信号Ｃに分離したＹＣのｓ画像信号をメモリの第１の領域に書き込む第１の現像部と、
前記ＲＧＢのｓ画像信号を、前記ＲＧＢのｓ画像信号とは異なる解像度としたＲＧＢのｔ画像信号に変換する第１の解像度変換部と、
前記ＲＧＢのｔ画像信号を輝度信号Ｙと色信号Ｃに分離したＹＣのｔ画像信号を前記メモリの第２の領域に書き込む第２の現像部と、
所定のインターフェース規格による伝送路によって周辺機器に接続され、前記第１の領域に対して前記ＹＣのｓ画像信号の読み出し若しくは書込みを行い、又は前記第２の領域に対して前記ＹＣのｔ画像信号を読み出し若しくは書込みを行って、前記周辺機器に前記ＹＣのｓ画像信号又は前記ＹＣのｔ画像信号を入出力するインターフェース部と、を備える
信号処理回路。
【請求項２】
さらに、前記メモリの第２の領域から読み出した前記ＹＣのｔ画像信号の解像度を、前記ＹＣのｓ画像信号及びｔ画像信号とは異なる解像度としたＹＣのｕ画像信号に変換し、前記ＹＣのｕ画像信号を前記メモリの第３の領域に書き込む第２の解像度変換部と、を備える
請求項１記載の信号処理回路。
【請求項３】
前記インターフェース部には、
前記第１の領域から読み出した前記ＹＣのｓ画像信号、又は前記第２の領域から読み出した前記ＹＣのｔ画像信号をエンコードして、コーデックに出力し、前記コーデックから入力した前記ＹＣのｓ画像信号又は前記ＹＣのｔ画像信号をデコードして前記第１の領域に書き込むコーデックインターフェースと、
前記第１の領域から読み出した前記ＹＣのｓ画像信号、又は前記第２の領域から読み出した前記ＹＣのｔ画像信号を、モニタに出力するモニタインターフェースと、
前記第３の領域から読み出した前記ＹＣのｕ画像信号を、表示部に出力する表示インターフェースと、が含まれる
請求項２記載の信号処理回路。
【請求項４】
前記ＹＣのｔ画像信号を再生する場合において、
前記コーデックインターフェースは、前記コーデックから入力する前記ＹＣのｔ画像信号をデコードして前記メモリの第２の領域に書込み、
前記第２の解像度変換部は、前記メモリの第２の領域から読み出した前記ＹＣのｔ画像信号の解像度を、前記ＹＣのｕ画像信号に変換し、前記ＹＣのｕ画像信号を前記メモリの第３の領域に書き込む
請求項３記載の信号処理回路。
【請求項５】
前記ＹＣのｓ画像信号を再生する場合において、
前記コーデックインターフェースは、前記コーデックによってデコードされた前記ＹＣのｓ画像信号を前記メモリの第１の領域に書込み、
前記第１の解像度変換部は、前記コーデックによってデコードされた前記ＹＣのｓ画像信号を前記ＹＣのｔ画像信号に変換し、前記ＹＣのｔ画像信号を前記メモリの第２の領域に書き込む
請求項３記載の信号処理回路。
【請求項６】
メモリと、
光学系を介して撮像面に結像した被写体像に基づいてＲＡＷデータを出力する撮像素子と、
前記ＲＡＷデータを補正する補正部と、
補正された前記ＲＡＷデータを、第１の解像度としたＲＧＢのｓ画像信号に色分離する色分離部と、
前記ＲＧＢのｓ画像信号を輝度信号Ｙと色信号Ｃに分離したＹＣのｓ画像信号を前記メモリの第１の領域に書き込む第１の現像部と、
前記ＲＧＢのｓ画像信号を、前記ＲＧＢのｓ画像信号とは異なる解像度としたＲＧＢのｔ画像信号に変換する第１の解像度変換部と、
前記ＲＧＢのｔ画像信号を輝度信号Ｙと色信号Ｃに分離したＹＣのｔ画像信号を前記メモリの第２の領域に書き込む第２の現像部と、
所定のインターフェース規格による伝送路によって周辺機器に接続され、前記第１の領域に対して前記ＹＣのｓ画像信号の読み出し若しくは書込みを行い、又は前記第２の領域に対して前記ＹＣのｔ画像信号を読み出し若しくは書込みを行って、前記周辺機器に前記ＹＣのｓ画像信号又は前記ＹＣのｔ画像信号を入出力するインターフェース部と、
前記インターフェース部から入力した前記ＹＣのｓ画像信号、若しくは前記ＹＣのｔ画像信号をエンコードしてメディアに出力し、又は前記メディアから入力した前記ＹＣのｓ画像信号又は前記ＹＣのｔ画像信号をデコードして前記インターフェース部に出力するコーデックと、を備える
撮像装置。
【請求項７】
ＲＡＷデータを、第１の解像度としたＲＧＢのｓ画像信号に色分離する手順、
前記ＲＧＢのｓ画像信号を輝度信号Ｙと色信号Ｃに分離したＹＣのｓ画像信号をメモリの第１の領域に書き込む手順、
前記ＲＧＢのｓ画像信号を、前記ＲＧＢのｓ画像信号とは異なる解像度としたＲＧＢのｔ画像信号に変換する手順、
前記ＲＧＢのｔ画像信号を輝度信号Ｙと色信号Ｃに分離したＹＣのｔ画像信号を前記メモリの第２の領域に書き込む手順、
所定のインターフェース規格による伝送路によって周辺機器に接続されるインターフェース部が、前記第１の領域に対して前記ＹＣのｓ画像信号の読み出し若しくは書込みを行い、又は前記第２の領域に対して前記ＹＣのｔ画像信号を読み出し若しくは書込みを行って、前記周辺機器に前記ＹＣのｓ画像信号又は前記ＹＣのｔ画像信号を入出力する手順とを
コンピュータに実行させるプログラム。
【発明の詳細な説明】
【技術分野】
【０００１】
本開示は、例えば、画像の解像度を変換するために用いられる信号処理回路、撮像装置及びプログラムに関する。
【背景技術】
【０００２】
従来、撮像装置が備える撮像素子の高精細化に伴い、１個の撮像素子に多数の画素が含まれるようになった。そして、各画素が画像信号を出力し、この画像信号を適切に処理した後、撮像装置は、大容量のメモリに画像信号を保存したり、高精細な画像表示が可能な表示装置に画像を表示させたりしている。メモリの中でも、クロック信号に同期して動作するＤＲＡＭ（Dynamic Random Access Memory）は、ＳＤＲＡＭ（Synchronous DRAM）と呼ばれる。近年では転送レートを高速化したＤＤＲ（Double Data Rate）１、ＤＤＲ２、ＤＤＲ３が用いられるようになっていた。
【０００３】
ここで、撮像装置の内部では様々なソフトウェア、ハードウェアが用いられている。そして、画像信号の処理に際して、ソフトウェア制御のしやすさを求めるためには、ハードウェアを構成する各処理ブロックの相互依存性を排除する必要がある。このためには、ある固まった処理単位毎に画像信号を一旦メモリに格納した後、極力メモリからメモリに画像信号を移動させる処理ブロックを増やすことにより、信号処理回路の設計が容易となると考えられている。
【０００４】
特許文献１には、ＲＡＷデータから短時間で第一画像を生成し、ＲＡＷデータから高品質な第二画像を生成する技術が開示されている。
【先行技術文献】
【特許文献】
【０００５】
【特許文献１】特開２００６−１０１３８９号公報
【発明の概要】
【発明が解決しようとする課題】
【０００６】
ところで、一旦メモリに画像信号を格納して、その後メモリから画像信号を読み出す処理では、撮像装置内部で使用されるバス等の帯域消費の弊害が非常に大きくなり、１チップの信号処理回路として成立させられない。例えば、１．３［Ｇｂｐｓ］の帯域を有するＤＤＲ３のバス幅１６ビットのメモリを効率７０％で使用できたとすれば、１．３×１６×０．７＝１４．５［Ｇｂｐｓ］の帯域が利用可能となる。
【０００７】
しかし、４Ｋ画像（例えば、４０９６×２１６０や３８４０×２１６０の解像度とした画像）を表現する４：２：２  ２０ビットの輝度信号（Ｙ）と色信号（Ｃ）のデータを、メモリに格納し、又は読み出す処理には、１２［Ｇｂｐｓ］の最大帯域が必要とされる。このため、データをメモリに格納する処理と、メモリからデータを読み出す処理を行うと、１２×２＝２４［Ｇｂｐｓ］の最大帯域が必要となり、メモリの帯域幅が逼迫し、他の処理でメモリを使用すると、全体に処理が遅延することが想定される。
【０００８】
また、特許文献１に開示された技術は、低解像度で画像を再生する場合に用いられるが、２Ｋ画像（例えば、１９２０×１０８０の解像度とした画像）や４Ｋ画像を高速に処理することができなかった。
このため、広帯域のメモリを使用するとしても、信号処理回路で必要とされる画像信号の使用帯域をできるだけ抑えるための工夫が必要であった。
【０００９】
本開示はこのような状況に鑑みて成されたものであり、効率的に画像の解像度を変換する処理を行うことを目的とする。
【課題を解決するための手段】
【００１０】
本開示は、ＲＡＷデータを、第１の解像度としたＲＧＢのｓ画像信号に色分離し、ＲＧＢのｓ画像信号を輝度信号Ｙと色信号Ｃに分離したＹＣのｓ画像信号をメモリの第１の領域に書き込む。
ＲＧＢのｓ画像信号を、ＲＧＢのｓ画像信号とは異なる解像度としたＲＧＢのｔ画像信号に変換し、ＲＧＢのｔ画像信号を輝度信号Ｙと色信号Ｃに分離したＹＣのｔ画像信号をメモリの第２の領域に書き込む。
そして、所定のインターフェース規格による伝送路によって周辺機器に接続されるインターフェース部が、第１の領域に対してＹＣのｓ画像信号の読み出し若しくは書込みを行い、又は第２の領域に対してＹＣのｔ画像信号を読み出し若しくは書込みを行って、周辺機器にＹＣのｓ画像信号又はＹＣのｔ画像信号を入出力するものである。
【００１１】
このようにしたことで、メモリに対する画像信号の入出力を減らすことができる。
【発明の効果】
【００１２】
本開示によれば、画像信号の解像度を変換する処理を効率的に行うことによって、メモリの使用帯域を圧迫することがない。
【図面の簡単な説明】
【００１３】
【図１】本開示の一実施の形態例におけるカムコーダの内部構成例を示すブロック図である。
【図２】従来の方式による画像信号の記録時及び画像表示時における信号処理の流れを示すブロック図である。
【図３】本開示の一実施の形態例に係る方式による画像信号の記録時及び画像表示時における信号処理の流れを示すブロック図である。
【図４】従来の方式による４Ｋ（ＹＣ）画像信号の再生時における信号処理の流れを示すブロック図である。
【図５】本開示の一実施の形態例に係る方式による２Ｋ（ＹＣ）画像信号の再生時における信号処理の流れを示すブロック図である。
【図６】本開示の一実施の形態例に係る方式による４Ｋ（ＹＣ）画像信号の再生時における信号処理の流れを示すブロック図である。
【発明を実施するための形態】
【００１４】
以下、本開示を実施するための形態（以下、実施の形態例とする。）について説明する。なお、説明は以下の順序で行い、共通する部分には同一符号を付し、詳細な説明を省略する。
１．一実施の形態例（画像信号の処理順の制御例）
２．変形例
【００１５】
＜１．一実施の形態例＞
［画像信号の処理順の制御例］
以下、本開示の一実施の形態例に係るカムコーダ１について、添付図面を参照して説明する。
このカムコーダ１は、コンピュータがプログラムを実行することにより、後述する内部ブロックが連携して行う信号処理方法を実現する。本明細書及び図面において、実質的に同一の機能又は構成を有する構成要素については、同一の符号を付することにより重複する説明を省略する。
【００１６】
図１は、カムコーダ１の内部構成例を示すブロック図である。
カムコーダ１は、レンズ等からなる光学系２を介して撮像面に結像した被写体像に基づいてＲＡＷデータの画像信号を出力する撮像素子３と、画像信号に所定の信号処理を加える信号処理回路４とを備える。光学系２には、不図示のシャッタ、アイリス等が含まれており、カムコーダ１の使用環境によって光学系２を適宜取り替え可能である。撮像素子３は、例えばベイヤ配列により構成されており、Ｒ、Ｇ（Ｇｂ，Ｇｒ）、Ｂの画像信号からなるＲＡＷデータを信号処理回路４に出力する。
【００１７】
また、カムコーダ１は、信号処理回路４に加えて各部を制御するシステム制御部５と、ユーザの操作入力を受け付けて操作信号をシステム制御部５に出力する操作部６とを備える。また、カムコーダ１は、インターフェース部から入力したＹＣのｓ画像信号の一例としての４ＫＹＣ（４：２：２）の画像信号（以下、「４Ｋ（ＹＣ）画像信号」と呼ぶ）をエンコードしてリムーバブルメディア１１に出力するコーデックを備える。また、このコーデックは、ＹＣのｔ画像信号の一例としての２ＫＹＣ（４：２：２）の画像信号（以下、「２Ｋ（ＹＣ）画像信号」と呼ぶ）をエンコードしてリムーバブルメディア１１に出力することもできる。このコーデックは、リムーバブルメディア１１から入力したＹＣのｓ画像信号（４Ｋ（ＹＣ）画像信号）又はＹＣのｔ画像信号（２Ｋ（ＹＣ）画像信号）をデコードしてインターフェース部に出力することもできる。具体的には、カムコーダ１は、信号処理回路４のコーデックインターフェース２９との間で２Ｋ（ＹＣ）画像信号のコーデックを行う２Ｋコーデック７ａと、４Ｋ（ＹＣ）画像信号のコーデックを行う４Ｋコーデック７ｂを備えている。２Ｋコーデック７ａ、４Ｋコーデック７ｂでは、例えば、ＡＶＣコーデックが用いられ、画像信号のエンコード又はデコードをすることが可能である。
【００１８】
また、カムコーダ１は、リムーバブルメディア１１が差し込まれるメディアインターフェース８を備える。メディアインターフェース８は、２Ｋコーデック７ａから受け取った２Ｋ（ＹＣ）画像信号をリムーバブルメディア１１に書込み、若しくは読み出す。又は、メディアインターフェース８は、４Ｋコーデック７ｂから受け取った４Ｋ（ＹＣ）画像信号をリムーバブルメディア１１に書込み、若しくは読み出す。
【００１９】
また、カムコーダ１は、ビューファインダー９と液晶ディスプレイ１０を備える。ビューファインダー９と液晶ディスプレイ１０が表示可能な画像の解像度は、４Ｋ画像、２Ｋ画像よりもはるかに小さいため、４Ｋ画像、２Ｋ画像の解像度を、これらのビューファインダー９と液晶ディスプレイ１０の解像度に合わせて変換する必要がある。
【００２０】
また、カムコーダ１には、外部に４Ｋ（ＹＣ）画像信号又は２Ｋ（ＹＣ）画像信号を出力し、４Ｋ画像又は２Ｋ画像を表示可能なモニタ１２が取付けられる。モニタ１２は、解像度が変換されていない４Ｋ画像を表示可能であるため、実際に撮影した内容を確認できる。
【００２１】
信号処理回路４は、撮像素子３から入力した画像信号からなるＲＡＷデータを補正する補正部２１を備える。また、信号処理回路４は、補正されたＲＡＷデータを第１の解像度としたＲＧＢのｓ画像信号（４ＫＲＧＢ（４：４：４）の画像信号（以下、「４Ｋ（ＲＧＢ）画像信号」と呼ぶ））に色分離する色分離部２２とを備える。また、信号処理回路４は、ＲＧＢのｓ画像信号を、輝度信号Ｙと色信号Ｃに分離したＹＣのｓ画像信号（４Ｋ（ＹＣ）画像信号）をメモリ３４の第１の領域（後述する４Ｋ（ＹＣ）領域３４ａ）に書き込む第１の現像部２３を備える。つまり、本例の第１の現像部２３は、４Ｋ（ＲＧＢ）画像信号の現像処理を行い、４Ｋ（ＹＣ）画像信号を出力する。
【００２２】
また、信号処理回路４は、ＲＧＢのｓ画像信号を、ＲＧＢのｓ画像信号とは異なる解像度としたＲＧＢのｔ画像信号（２ＫＲＧＢ（４：４：４）の画像信号（以下、「２Ｋ（ＲＧＢ）画像信号」と呼ぶ））に変換する第１の解像度変換部２４を備える。本例の第１の解像度変換部２４は、色分離部２２が出力する４Ｋ（ＲＧＢ）画像信号を、２Ｋ（ＲＧＢ）画像信号に解像度を変換する。また、信号処理回路４は、ＲＧＢのｔ画像信号を輝度信号Ｙと色信号Ｃに分離したＹＣのｔ画像信号（２Ｋ（ＹＣ）画像信号）をメモリ３４の第２の領域（後述する２Ｋ（ＹＣ）領域３４ｂ）に書き込む第２の現像部２５を備える。つまり、本例の第２の現像部２５は、２Ｋ（ＲＧＢ）画像信号の現像処理を行い、２Ｋ（ＹＣ）画像信号を出力する。
【００２３】
また、信号処理回路４は、２Ｋ（ＹＣ）画像信号を、ビューファインダー９が表示可能な画サイズの画像信号（以下、「ＶＦ用画像信号」と呼ぶ）に解像度を変換する第２の解像度変換部２６を備える。また、信号処理回路４は、２Ｋ（ＹＣ）画像信号を、液晶ディスプレイ１０が表示可能な画サイズの画像信号（以下、「ＬＣＤ用画像信号」と呼ぶ）に解像度を変換する第３の解像度変換部２７を備える。第２の解像度変換部２６又は第３の解像度変換部２７は、メモリ３４の第２の領域から読み出したＹＣのｔ画像信号の解像度を、ＹＣのｓ画像信号及びｔ画像信号とは異なる解像度としたＹＣのｕ画像信号（以下、「ＱＨＤ画像信号」と呼ぶ）に変換する。そして、ＹＣのｕ画像信号をメモリ３４の第３の領域（後述するＱＨＤ（ＹＣ）領域３４ｃ）に書き込む
【００２４】
また、信号処理回路４は、信号処理回路４内の各部の動作を制御する制御部２８と、所定のインターフェース規格による伝送路によって周辺機器に接続されるインターフェース部を備える。このインターフェース部は、後述するコーデックインターフェース２９、ビューファインダーインターフェース３０、液晶ディスプレイインターフェース３１、モニタインターフェース３２、メモリインターフェース３３を包含するものである。そして、インターフェース部は、４Ｋ（ＹＣ）領域３４ａに対してＹＣのｓ画像信号の読み出し若しくは書込みを行い、又は第２の領域に対してＹＣのｔ画像信号を読み出し若しくは書込みを行って、周辺機器にＹＣのｓ画像信号又はＹＣのｔ画像信号を入出力する。
【００２５】
信号処理回路４は、２Ｋコーデック７ａ及び４Ｋコーデック７ｂのインターフェースとなるコーデックインターフェース２９とを備える。また、信号処理回路４は、ビューファインダー９のインターフェースとなるビューファインダーインターフェース３０と、液晶ディスプレイ１０のインターフェースとなる液晶ディスプレイインターフェース３１とを備える。また、信号処理回路４は、モニタ１２のインターフェースとなるモニタインターフェース３２を備える。
【００２６】
また、信号処理回路４は、メモリ３４との間でデータの入出力を行うためのインターフェースとなるメモリインターフェース３３とを備える。メモリ３４には、４Ｋ（ＹＣ）画像信号、２Ｋ（ＹＣ）画像信号、ＶＦ用画像信号、ＬＣＤ用画像信号を保存することができる。メモリ３４の最大帯域は、６０［Ｇｂｐｓ］程度となるため、メモリ３４の使用帯域を６０［Ｇｂｐｓ］以内に収めることが必要となる。
【００２７】
＜記録時及び画像表示時における画像信号処理の流れ＞
［従来の方式による信号処理の流れ］
図２は、従来の方式による画像信号の記録時及び画像表示時における信号処理の流れを示すブロック図である。ここでは、信号処理回路４とメモリ３４との間で送受信される画像信号について説明する。
【００２８】
信号処理回路４は、上述した信号処理回路４と同様の構成としている。ただし、４Ｋ（ＲＧＢ）画像信号を２Ｋ（ＲＧＢ）画像信号に変換する第１の解像度変換部２４を、４Ｋ（ＹＣ）画像信号を２Ｋ（ＹＣ）画像信号に変換する第１の解像度変換部２４に入れ替えたものとしている。
【００２９】
撮像素子３から４ＫのＲＡＷデータが信号処理回路４に入力すると、補正部２１がＲＡＷデータを補正し、色分離部２２が補正後のＲＡＷデータを、４Ｋ（ＲＧＢ）画像信号に色分離を行う。第１の現像部２３は、この４Ｋ（ＲＧＢ）画像信号を４Ｋ（ＹＣ）画像信号にする現像処理を行い、メモリ３４内の４Ｋ（ＹＣ）領域３４ａに書き込む。
【００３０】
第１の解像度変換部２４は、４Ｋ（ＹＣ）領域３４ａから読み出した４Ｋ（ＹＣ）画像信号を、２Ｋ（ＹＣ）画像信号に変換し、メモリ３４内の２Ｋ（ＹＣ）領域３４ｂに書き込む。第２の解像度変換部２６又は第３の解像度変換部２７（以下、「解像度変換部２６，２７」と略記する）は、４Ｋ（ＹＣ）領域３４ａから読み出した４Ｋ（ＹＣ）画像信号を、ＹＣのＱＨＤ画像信号に変換し、メモリ３４内のＱＨＤ（ＹＣ）領域３４ｃに書き込む。ここで、ＱＨＤ（Quarter Full High Definition）とは、フルＨＤ（１９２０×１０８０）の解像度の１／４倍の解像度（９６０×５４０）を表す。以下の処理では、ビューファインダー９と液晶ディスプレイ１０は、共に同じＱＨＤの解像度で画像を表示するものとして取り扱う。
【００３１】
コーデックインターフェース２９は、４Ｋ（ＹＣ）領域３４ａから読み出したＹＣのｓ画像信号、又は２Ｋ（ＹＣ）領域３４ｂから読み出したＹＣのｔ画像信号をエンコードして、コーデックに出力する。また、コーデックから入力したＹＣのｓ画像信号又はＹＣのｔ画像信号をデコードして４Ｋ（ＹＣ）領域３４ａに書き込む。すなわち、コーデックインターフェース２９は、４Ｋ（ＹＣ）領域３４ａから読み出した４Ｋ（ＹＣ）画像信号を４Ｋコーデック７ｂに送る。そして、４Ｋコーデック７ｂは、エンコードした４Ｋ（ＹＣ）画像信号を、メディアインターフェース８を介して、リムーバブルメディア１１に書き込む。同様に、コーデックインターフェース２９は、２Ｋ（ＹＣ）領域３４ｂから読み出した２Ｋ（ＹＣ）画像信号を２Ｋコーデック７ａに送る。そして、２Ｋコーデック７ａは、エンコードした２Ｋ（ＹＣ）画像信号を、メディアインターフェース８を介して、リムーバブルメディア１１に書き込む。
【００３２】
モニタインターフェース３２は、４Ｋ（ＹＣ）領域３４ａから読み出したＹＣのｓ画像信号、又は２Ｋ（ＹＣ）領域３４ｂから読み出したＹＣのｔ画像信号を、モニタ１２に出力する。すなわち、モニタインターフェース３２は、４Ｋ（ＹＣ）領域３４ａから読み出した４Ｋ（ＹＣ）画像信号をモニタ１２に出力する。
【００３３】
ビューファインダーインターフェース３０又は液晶ディスプレイインターフェース３１は、ＱＨＤ（ＹＣ）領域３４ｃから読み出したＹＣのｕ画像信号を、ビューファインダー９又は液晶ディスプレイ１０に出力する。すなわち、ビューファインダーインターフェース３０又は液晶ディスプレイインターフェース３１は、ＱＨＤ（ＹＣ）領域３４ｃから読み出したＹＣのＱＨＤ画像信号を、ビューファインダー９又は液晶ディスプレイ１０に出力する。以下の説明及び図中では、ビューファインダーインターフェース３０又は液晶ディスプレイインターフェース３１を、「表示インターフェース３０，３１」と略記し、ビューファインダー９又は液晶ディスプレイ１０を、「表示部９，１０」と略記する。
【００３４】
信号処理回路４とメモリ３４との間で４Ｋ（ＹＣ）画像信号は、以下に示す５本の信号線により書込み又は読み出される。
（１）第１の現像部２３から４Ｋ（ＹＣ）領域３４ａへの信号線
（２）４Ｋ（ＹＣ）領域３４ａから第１の解像度変換部２４への信号線
（３）４Ｋ（ＹＣ）領域３４ａから解像度変換部２６，２７への信号線（なお、本例では、表示部９，１０はいずれも同じ画サイズとしたため、以下の説明ではこの信号線を１本としている。）
（４）４Ｋ（ＹＣ）領域３４ａからコーデックインターフェース２９への信号線
（５）４Ｋ（ＹＣ）領域３４ａからモニタインターフェース３２への信号線
このため、４Ｋ（ＹＣ）画像信号の使用帯域は、１本の信号線で１２［Ｇｂｐｓ］の帯域を要すると、１２［Ｇｂｐｓ］×５［本］＝６０［Ｇｂｐｓ］となる。
【００３５】
また、信号処理回路４とメモリ３４との間で２Ｋ（ＹＣ）画像信号は、以下に示す２本の信号線により書込み又は読み出される。
（１）第１の解像度変換部２４から２Ｋ（ＹＣ）領域３４ｂへの信号線
（２）２Ｋ（ＹＣ）領域３４ｂからコーデックインターフェース２９への信号線
このため、２Ｋ（ＹＣ）画像信号の使用帯域は、１本の信号線で３［Ｇｂｐｓ］の帯域を要すると、３［Ｇｂｐｓ］×２［本］＝６［Ｇｂｐｓ］となる。
【００３６】
また、信号処理回路４とメモリ３４との間でＱＨＤ画像信号は、以下に示す２本の信号線により書込み又は読み出される。
（１）解像度変換部２６，２７からＱＨＤ（ＹＣ）領域３４ｃへの信号線
（２）ＱＨＤ（ＹＣ）領域３４ｃから表示インターフェース３０，３１への信号線（なお、本例では、表示部９，１０はいずれも同じ画サイズとしたため、以下の説明では表示インターフェース３０，３１への信号線を１本としている。）
このため、ＱＨＤ画像信号の使用帯域は、１本の信号線で０．７５［Ｇｂｐｓ］の帯域を要すると、０．７５［Ｇｂｐｓ］×２［本］＝１．５［Ｇｂｐｓ］となる。
【００３７】
以上より、信号処理回路４とメモリ３４との間における画像信号の使用帯域は、以下のように求まる。
６０＋６＋１．５＝６７．５［Ｇｂｐｓ］
そして、この使用帯域は、メモリ３４の最大帯域である６０［Ｇｂｐｓ］を超えているため、従来の方式で信号処理のフローを構成した場合、画像信号の転送処理等が遅延することが想定される。
【００３８】
［本実施の形態例に係る方式による画像信号処理の流れ］
図３は、本実施の形態例に係る方式による画像信号の記録時及び画像表示時における信号処理の流れを示すブロック図である。
【００３９】
ここでは、画像信号の使用帯域をメモリ３４の最大帯域に収めるためにどのように信号処理を行うかについて説明する。
撮像素子３から４ＫのＲＡＷデータが信号処理回路４に入力すると、補正部２１がＲＡＷデータを補正し、色分離部２２が４Ｋ（ＲＧＢ）画像信号に色分離を行う。第１の現像部２３は、この４Ｋ（ＲＧＢ）画像信号を４Ｋ（ＹＣ）画像信号にする現像処理を行い、メモリ３４内の４Ｋ（ＹＣ）領域３４ａに書き込む。
【００４０】
また、第１の解像度変換部２４は、４Ｋ（ＲＧＢ）画像信号を２Ｋ（ＲＧＢ）画像信号にする解像度の変換処理を行う。そして、第２の現像部２５は、第１の解像度変換部２４から受け取った２Ｋ（ＲＧＢ）画像信号を２Ｋ（ＹＣ）画像信号にする現像処理を行い、メモリ３４内の２Ｋ（ＹＣ）領域３４ｂに書き込む。
【００４１】
解像度変換部２６，２７は、２Ｋ（ＹＣ）領域３４ｂから２Ｋ（ＹＣ）領域３４ｂから読み出した２Ｋ（ＹＣ）画像信号を、ＹＣのＱＨＤ画像信号に変換し、メモリ３４内のＱＨＤ（ＹＣ）領域３４ｃに書き込む。
【００４２】
その後の、コーデックインターフェース２９、２Ｋコーデック７ａ、４Ｋコーデック７ｂ、メディアインターフェース８、リムーバブルメディア１１、モニタインターフェース３２、モニタ１２、表示インターフェース３０，３１、表示部９，１０の動作は省略する。
【００４３】
ここで、信号処理回路４とメモリ３４との間で４Ｋ（ＹＣ）画像信号は、以下に示す３本の信号線により書込み又は読み出される。
（１）第１の現像部２３から４Ｋ（ＹＣ）領域３４ａへの信号線
（２）４Ｋ（ＹＣ）領域３４ａからコーデックインターフェース２９への信号線
（３）４Ｋ（ＹＣ）領域３４ａからモニタインターフェース３２への信号線
このため、４Ｋ（ＹＣ）画像信号の使用帯域は、１本の信号線で１２［Ｇｂｐｓ］の帯域を要すると、１２［Ｇｂｐｓ］×３［本］＝３６［Ｇｂｐｓ］となる。
【００４４】
また、信号処理回路４とメモリ３４との間で２Ｋ（ＹＣ）画像信号は、以下に示す３本の信号線により書込み又は読み出される。
（１）第２の現像部２５から２Ｋ（ＹＣ）領域３４ｂへの信号線
（２）２Ｋ（ＹＣ）領域３４ｂから解像度変換部２６，２７への信号線
（３）２Ｋ（ＹＣ）領域３４ｂからコーデックインターフェース２９への信号線
このため、２Ｋ（ＹＣ）画像信号の使用帯域は、１本の信号線で３［Ｇｂｐｓ］の帯域を要すると、３［Ｇｂｐｓ］×３［本］＝９［Ｇｂｐｓ］となる。
【００４５】
また、信号処理回路４とメモリ３４との間でＱＨＤ画像信号は、以下に示す２本の信号線により書込み又は読み出される。
（１）解像度変換部２６，２７からＱＨＤ（ＹＣ）領域３４ｃへの信号線
（２）ＱＨＤ（ＹＣ）領域３４ｃから表示インターフェース３０，３１への信号線
このため、ＱＨＤ画像信号の使用帯域は、１本の信号線で０．７５［Ｇｂｐｓ］の帯域を要すると、０．７５［Ｇｂｐｓ］×２［本］＝１．５［Ｇｂｐｓ］となる。
【００４６】
以上より、信号処理回路４とメモリ３４との間における画像信号の使用帯域は、以下のように求まる。
３６＋９＋１．５＝４６．５［Ｇｂｐｓ］
そして、この使用帯域は、メモリ３４の最大帯域である６０［Ｇｂｐｓ］以内である。
【００４７】
このように本例の信号処理回路４は、撮像したスルー画像を表示したり、スルー画像を記録したりする時には、４Ｋ（ＲＧＢ）画像信号の現像処理の後に、２Ｋ（ＹＣ）画像信号へのダウンコンバートをするのでない。つまり、信号処理回路４は、４Ｋ（ＲＧＢ）画像信号の現像処理と２Ｋ（ＲＧＢ）画像信号の現像処理をメモリ３４にアクセスせずに並列して実行する。これにより、メモリ３４への４Ｋ（ＹＣ）画像信号のアクセス回数を減らすことができる。信号処理回路４の回路規模はその分増えるが、４Ｋ（ＲＧＢ）画像信号の現像設定と２Ｋ（ＲＧＢ）画像信号の現像設定を分離する事も可能になるメリットもある。
【００４８】
＜再生時における信号処理の流れ＞
［従来の方式による画像信号処理の流れ］
図４は、従来の方式による４Ｋ（ＹＣ）画像信号の再生時における信号処理の流れを示すブロック図である。
４Ｋ（ＹＣ）画像信号の再生時には、リムーバブルメディア１１からメディアインターフェース８が４Ｋ（ＹＣ）画像信号を読み出す。そして、２Ｋコーデック７ａがデコードした４Ｋ（ＹＣ）画像信号を、コーデックインターフェース２９を介して、４Ｋ（ＹＣ）領域３４ａに書き込む。
【００４９】
第１の解像度変換部２４は、４Ｋ（ＹＣ）領域３４ａから読み出した４Ｋ（ＹＣ）画像信号を２Ｋ（ＹＣ）画像信号に変換し、２Ｋ（ＹＣ）領域３４ｂに書き込む。解像度変換部２６，２７は、２Ｋ（ＹＣ）領域３４ｂから読み出した２Ｋ（ＹＣ）画像信号を、ＱＨＤ画像信号に変換し、ＱＨＤ（ＹＣ）領域３４ｃに書き込む。
【００５０】
モニタインターフェース３２は、４Ｋ（ＹＣ）領域３４ａから読み出した４Ｋ（ＹＣ）画像信号をモニタ１２に出力する。また、表示インターフェース３０，３１は、ＱＨＤ（ＹＣ）領域３４ｃから読み出したＹＣのＱＨＤ画像信号を、表示部９，１０に出力する。
【００５１】
ここで、信号処理回路４とメモリ３４との間で４Ｋ（ＹＣ）画像信号は、以下に示す３本の信号線により書込み又は読み出される。
（１）コーデックインターフェース２９から４Ｋ（ＹＣ）領域３４ａへの信号線
（２）４Ｋ（ＹＣ）領域３４ａから第１の解像度変換部２４への信号線
（３）４Ｋ（ＹＣ）領域３４ａからモニタインターフェース３２への信号線
このため、４Ｋ（ＹＣ）画像信号の使用帯域は、１本の信号線で１２［Ｇｂｐｓ］の帯域を要すると、１２［Ｇｂｐｓ］×３［本］＝３６［Ｇｂｐｓ］となる。
【００５２】
また、信号処理回路４とメモリ３４との間で２Ｋ（ＹＣ）画像信号は、以下に示す２本の信号線により書込み又は読み出される。
（１）第１の解像度変換部２４から２Ｋ（ＹＣ）領域３４ｂへの信号線
（２）２Ｋ（ＹＣ）領域３４ｂから解像度変換部２６，２７への信号線
このため、２Ｋ（ＹＣ）画像信号の使用帯域は、１本の信号線で３［Ｇｂｐｓ］の帯域を要すると、３［Ｇｂｐｓ］×２［本］＝６［Ｇｂｐｓ］となる。
【００５３】
また、信号処理回路４とメモリ３４との間でＱＨＤ画像信号は、以下に示す２本の信号線により書込み又は読み出される。
（１）解像度変換部２６，２７からＱＨＤ（ＹＣ）領域３４ｃへの信号線
（２）ＱＨＤ（ＹＣ）領域３４ｃから表示インターフェース３０，３１への信号線
このため、ＱＨＤ画像信号の使用帯域は、１本の信号線で０．７５［Ｇｂｐｓ］の帯域を要すると、０．７５［Ｇｂｐｓ］×２［本］＝１．５［Ｇｂｐｓ］となる。
【００５４】
以上より、信号処理回路４とメモリ３４との間における画像信号の使用帯域は、以下のように求まる。
３６＋６＋１．５＝４３．５［Ｇｂｐｓ］
この使用帯域は、メモリ３４の最大帯域である６０［Ｇｂｐｓ］以内である。
【００５５】
［本実施の形態例に係る方式による画像信号処理の流れ］
図５は、本実施の形態例に係る方式による４Ｋ（ＹＣ）画像信号の再生時における信号処理の流れを示すブロック図である。
ここでは、画像信号の使用帯域をできるだけ抑えるためにどのように信号処理を行うかについて説明する。
【００５６】
ＹＣのｓ画像信号を再生する場合において、コーデックインターフェース２９は、コーデックによってデコードされたＹＣのｓ画像信号をメモリ３４の４Ｋ（ＹＣ）領域３４ａに書込む。そして、第１の解像度変換部２４は、コーデックによってデコードされたＹＣのｓ画像信号をＹＣのｔ画像信号に変換し、ＹＣのｔ画像信号をメモリ３４の２Ｋ（ＹＣ）領域３４ｂに書き込む。
【００５７】
具体的には、４Ｋ（ＹＣ）画像信号の再生時には、リムーバブルメディア１１からメディアインターフェース８が４Ｋ（ＹＣ）画像信号を読み出す。そして、２Ｋコーデック７ａがデコードした４Ｋ（ＹＣ）画像信号を、コーデックインターフェース２９を介して、４Ｋ（ＹＣ）領域３４ａに書き込む。また、コーデックインターフェース２９から第１の解像度変換部２４に４Ｋ（ＹＣ）画像信号を出力する。
【００５８】
第１の解像度変換部２４は、コーデックインターフェース２９から入力した４Ｋ（ＹＣ）画像信号を２Ｋ（ＹＣ）画像信号に変換し、２Ｋ（ＹＣ）領域３４ｂに書き込む。解像度変換部２６，２７は、２Ｋ（ＹＣ）領域３４ｂから読み出した２Ｋ（ＹＣ）画像信号を、ＱＨＤ画像信号に変換し、ＱＨＤ（ＹＣ）領域３４ｃに書き込む。
【００５９】
モニタインターフェース３２は、４Ｋ（ＹＣ）領域３４ａから読み出した４Ｋ（ＹＣ）画像信号をモニタ１２に出力する。また、表示インターフェース３０，３１は、ＱＨＤ（ＹＣ）領域３４ｃから読み出したＹＣのＱＨＤ画像信号を、表示部９，１０に出力する。
【００６０】
ここで、信号処理回路４とメモリ３４との間で４Ｋ（ＹＣ）画像信号は、以下に示す２本の信号線により書込み又は読み出される。
（１）コーデックインターフェース２９から４Ｋ（ＹＣ）領域３４ａへの信号線
（２）４Ｋ（ＹＣ）領域３４ａからモニタインターフェース３２への信号線
このため、４Ｋ（ＹＣ）画像信号の使用帯域は、１本の信号線で１２［Ｇｂｐｓ］の帯域を要すると、１２［Ｇｂｐｓ］×２［本］＝２４［Ｇｂｐｓ］となる。
【００６１】
また、信号処理回路４とメモリ３４との間で２Ｋ（ＹＣ）画像信号は、以下に示す２本の信号線により書込み又は読み出される。
（１）第１の解像度変換部２４から２Ｋ（ＹＣ）領域３４ｂへの信号線
（２）２Ｋ（ＹＣ）領域３４ｂから解像度変換部２６，２７への信号線
このため、２Ｋ（ＹＣ）画像信号の使用帯域は、１本の信号線で３［Ｇｂｐｓ］の帯域を要すると、３［Ｇｂｐｓ］×２［本］＝６［Ｇｂｐｓ］となる。
【００６２】
また、信号処理回路４とメモリ３４との間でＱＨＤ画像信号は、以下に示す２本の信号線により書込み又は読み出される。
（１）解像度変換部２６，２７からＱＨＤ（ＹＣ）領域３４ｃへの信号線
（２）ＱＨＤ（ＹＣ）領域３４ｃから表示インターフェース３０，３１への信号線
このため、ＱＨＤ画像信号の使用帯域は、１本の信号線で０．７５［Ｇｂｐｓ］の帯域を要すると、０．７５［Ｇｂｐｓ］×２［本］＝１．５［Ｇｂｐｓ］となる。
【００６３】
以上より、信号処理回路４とメモリ３４との間における画像信号の使用帯域は、以下のように求まる。
２４＋６＋１．５＝３１．５［Ｇｂｐｓ］
この使用帯域は、メモリ３４の最大帯域である６０［Ｇｂｐｓ］以内である。
【００６４】
ここで、４Ｋ（ＹＣ）画像信号の再生時においては、従来の方式でも画像信号の使用帯域がメモリ３４の最大帯域以内である。しかし、メモリ３４の使用帯域をできるだけ少なくすることができれば、メモリ３４に他の信号処理の帯域を割り当てることができる。このため、本実施の形態例に係る方式に示したように、コーデックインターフェース２９から第１の解像度変換部２４に４Ｋ（ＹＣ）画像信号を直接送る。そして、この４Ｋ（ＹＣ）画像信号を２Ｋ（ＹＣ）画像信号に変換すれば、メモリ３４の帯域を有効に活用することができる。
【００６５】
図６は、本実施の形態例に係る方式による２Ｋ（ＹＣ）画像信号の再生時における信号処理の流れを示すブロック図である。
【００６６】
ＹＣのｔ画像信号を再生する場合において、コーデックインターフェース２９は、コーデックから入力するＹＣのｔ画像信号をデコードしてメモリ３４の２Ｋ（ＹＣ）領域３４ｂに書込む。そして、解像度変換部２６，２７は、メモリ３４の２Ｋ（ＹＣ）領域３４ｂから読み出したＹＣのｔ画像信号の解像度を、ＹＣのｕ画像信号に変換し、ＹＣのｕ画像信号をメモリ３４のＱＨＤ（ＹＣ）領域３４ｃに書き込む。
【００６７】
具体的には、２Ｋ（ＹＣ）画像信号の再生時には、リムーバブルメディア１１からメディアインターフェース８が２Ｋ（ＹＣ）画像信号を読み出す。そして、２Ｋコーデック７ａがデコードした２Ｋ（ＹＣ）画像信号を、コーデックインターフェース２９を介して、２Ｋ（ＹＣ）領域３４ｂに書き込む。また、コーデックインターフェース２９から解像度変換部２６，２７に２Ｋ（ＹＣ）画像信号を出力する。解像度変換部２６，２７は、２Ｋ（ＹＣ）領域３４ｂから読み出した２Ｋ（ＹＣ）画像信号を、ＱＨＤ画像信号に変換し、ＱＨＤ（ＹＣ）領域３４ｃに書き込む。
【００６８】
モニタインターフェース３２は、２Ｋ（ＹＣ）領域３４ｂから読み出した２Ｋ（ＹＣ）画像信号をモニタ１２に出力する。また、表示インターフェース３０，３１は、ＱＨＤ（ＹＣ）領域３４ｃから読み出したＹＣのＱＨＤ画像信号を、表示部９，１０に出力する。
【００６９】
ここで、信号処理回路４とメモリ３４との間で２Ｋ（ＹＣ）画像信号は、以下に示す３本の信号線により書込み又は読み出される。
（１）コーデックインターフェース２９から２Ｋ（ＹＣ）領域３４ｂへの信号線
（２）２Ｋ（ＹＣ）領域３４ｂから解像度変換部２６，２７への信号線
（２）２Ｋ（ＹＣ）領域３４ｂからモニタインターフェース３２への信号線
このため、２Ｋ（ＹＣ）画像信号の使用帯域は、１本の信号線で３［Ｇｂｐｓ］の帯域を要すると、３［Ｇｂｐｓ］×３［本］＝２４［Ｇｂｐｓ］となる。
【００７０】
また、信号処理回路４とメモリ３４との間でＱＨＤ画像信号は、以下に示す２本の信号線により書込み又は読み出される。
（１）解像度変換部２６，２７からＱＨＤ（ＹＣ）領域３４ｃへの信号線
（２）ＱＨＤ（ＹＣ）領域３４ｃから表示インターフェース３０，３１への信号線
このため、ＱＨＤ画像信号の使用帯域は、１本の信号線で０．７５［Ｇｂｐｓ］の帯域を要すると、０．７５［Ｇｂｐｓ］×２［本］＝１．５［Ｇｂｐｓ］となる。
【００７１】
以上より、信号処理回路４とメモリ３４との間における画像信号の使用帯域は、以下のように求まる。
９＋１．５＝１０．５［Ｇｂｐｓ］
この使用帯域は、メモリ３４の最大帯域である６０［Ｇｂｐｓ］以内である。
【００７２】
以上説明した一実施の形態例によれば、信号処理回路４とメモリ３４との間で行われる画像信号の書込みと読み出し回数を減らすことにより、メモリ３４の使用帯域をメモリ３４の最大帯域に収めることができる。このため、信号処理回路４がメモリ３４に高速アクセスして、処理を行うことができる。
【００７３】
ここで、表示部９，１０やモニタ１２にスルー画像を表示させる場合、又はリムーバブルメディア１１にエンコードした画像信号を記録させる場合には、第１の現像部２３と第２の現像部２５が同時に動作する。そして、第１の現像部２３は４Ｋ（ＹＣ）画像信号をメモリ３４に書込み、第２の現像部２５は２Ｋ（ＹＣ）画像信号をメモリ３４に書込んでいる。これにより、従来は、現像した４Ｋ（ＹＣ）画像信号をメモリ３４に書き込んだ後、この４Ｋ（ＹＣ）画像信号をメモリ３４から読み出して２Ｋ（ＹＣ）画像信号に解像度変換していた処理に比べ、メモリ３４への書込み回数を減らすことができる。
【００７４】
また、リムーバブルメディア１１から画像信号を読み出して４Ｋ画像を再生する場合には、コーデックインターフェース２９がデコードされた４Ｋ（ＹＣ）画像信号をメモリ３４に書き込む。この書込みと同時に、第１の解像度変換部２４が４Ｋ（ＲＧＢ）画像信号を２Ｋ（ＲＧＢ）画像信号に変換する。そして、この変換した２Ｋ（ＹＣ）画像信号をメモリ３４に書き込むようにしている。このため、４Ｋ画像の再生時においても、メモリ３４の使用帯域を削減し、画像信号のバッファとしての機能以外にもメモリ３４に機能を割り当てることができる。
【００７５】
また、表示部９，１０に表示させるための画サイズは、４Ｋ画像や２Ｋ画像と比べて小さい。このため、表示部９，１０の画サイズに合わせて２Ｋ（ＹＣ）画像信号の解像度変換を行うことにより、メモリ３４の使用帯域を減らすことができる。
【００７６】
また、４Ｋ（ＹＣ）画像信号のベースバンドのデータ帯域は１２［Ｇｂｐｓ］あり、何度も書込みと読み出しをすると、１チップの信号処理回路４が許容出来るメモリ帯域が破綻してしまう。このため、メモリ３４への書込み回数と読み出し回数を減らすことは極めて有効である
【００７７】
＜２．変形例＞
なお、４Ｋ（ＲＧＢ）画像信号と２Ｋ（ＲＧＢ）画像信号について、それぞれ別の現像処理を行うことが可能である。例えば、４Ｋ（ＲＧＢ）画像信号の現像にはガンマ補正を行い、２Ｋ（ＲＧＢ）画像信号の現像にはＳ−Ｌｏｇ（エスログ）を行うようにしてもよい。Ｓ−Ｌｏｇとは、波間の反射光等の広いダイナミックレンジの画像を破綻なく表示させるための補正処理である。
【００７８】
また、上述した実施の形態例では、撮像装置としてのカムコーダ１に本開示を適用した例について説明したが、カムコーダ１から光学系２、撮像素子３、補正部２１を除いた再生装置に本開示を適用してもよい。
【００７９】
また、上述した実施の形態例における一連の処理は、ハードウェアにより実行することができるが、ソフトウェアにより実行させることもできる。一連の処理をソフトウェアにより実行させる場合には、そのソフトウェアを構成するプログラムが専用のハードウェアに組み込まれているコンピュータ、又は各種の機能を実行するためのプログラムをインストールしたコンピュータにより、実行可能である。例えば汎用のパーソナルコンピュータ等に所望のソフトウェアを構成するプログラムをインストールして実行させればよい。
【００８０】
また、上述した実施の形態例の機能を実現するソフトウェアのプログラムコードを記録した記録媒体を、システムあるいは装置に供給してもよい。また、そのシステムあるいは装置のコンピュータ（又はＣＰＵ等の制御装置）が記録媒体に格納されたプログラムコードを読み出し実行することによっても、機能が実現されることは言うまでもない。
【００８１】
この場合のプログラムコードを供給するための記録媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００８２】
また、コンピュータが読み出したプログラムコードを実行することにより、上述した実施の形態例の機能が実現される。加えて、そのプログラムコードの指示に基づき、コンピュータ上で稼動しているＯＳ等が実際の処理の一部又は全部を行う。その処理によって上述した実施の形態例の機能が実現される場合も含まれる。
【００８３】
また、本開示は上述した実施の形態例に限られるものではなく、特許請求の範囲に記載した本開示の要旨を逸脱しない限りその他種々の応用例、変形例を取り得ることは勿論である。
【００８４】
なお、本開示は以下のような構成も取ることができる。
（１）
ＲＡＷデータを、第１の解像度としたＲＧＢのｓ画像信号に色分離する色分離部と、
前記ＲＧＢのｓ画像信号を輝度信号Ｙと色信号Ｃに分離したＹＣのｓ画像信号をメモリの第１の領域に書き込む第１の現像部と、
前記ＲＧＢのｓ画像信号を、前記ＲＧＢのｓ画像信号とは異なる解像度としたＲＧＢのｔ画像信号に変換する第１の解像度変換部と、
前記ＲＧＢのｔ画像信号を輝度信号Ｙと色信号Ｃに分離したＹＣのｔ画像信号を前記メモリの第２の領域に書き込む第２の現像部と、
所定のインターフェース規格による伝送路によって周辺機器に接続され、前記第１の領域に対して前記ＹＣのｓ画像信号の読み出し若しくは書込みを行い、又は前記第２の領域に対して前記ＹＣのｔ画像信号を読み出し若しくは書込みを行って、前記周辺機器に前記ＹＣのｓ画像信号又は前記ＹＣのｔ画像信号を入出力するインターフェース部と、を備える
信号処理回路。
（２）
さらに、前記メモリの第２の領域から読み出した前記ＹＣのｔ画像信号の解像度を、前記ＹＣのｓ画像信号及びｔ画像信号とは異なる解像度としたＹＣのｕ画像信号に変換し、前記ＹＣのｕ画像信号を前記メモリの第３の領域に書き込む第２の解像度変換部と、を備える
前記（１）記載の信号処理回路。
（３）
前記インターフェース部には、
前記第１の領域から読み出した前記ＹＣのｓ画像信号、又は前記第２の領域から読み出した前記ＹＣのｔ画像信号をエンコードして、コーデックに出力し、前記コーデックから入力した前記ＹＣのｓ画像信号又は前記ＹＣのｔ画像信号をデコードして前記第１の領域に書き込むコーデックインターフェースと、
前記第１の領域から読み出した前記ＹＣのｓ画像信号、又は前記第２の領域から読み出した前記ＹＣのｔ画像信号を、モニタに出力するモニタインターフェースと、
前記第３の領域から読み出した前記ＹＣのｕ画像信号を、表示部に出力する表示インターフェースと、が含まれる
前記（１）又は（２）記載の信号処理回路。
（４）
前記ＹＣのｔ画像信号を再生する場合において、
前記コーデックインターフェースは、前記コーデックから入力する前記ＹＣのｔ画像信号をデコードして前記メモリの第２の領域に書込み、
前記第２の解像度変換部は、前記メモリの第２の領域から読み出した前記ＹＣのｔ画像信号の解像度を、前記ＹＣのｕ画像信号に変換し、前記ＹＣのｕ画像信号を前記メモリの第３の領域に書き込む
前記（１）〜（３）のいずれかに記載の信号処理回路。
（５）
前記ＹＣのｓ画像信号を再生する場合において、
前記コーデックインターフェースは、前記コーデックによってデコードされた前記ＹＣのｓ画像信号を前記メモリの第１の領域に書込み、
前記第１の解像度変換部は、前記コーデックによってデコードされた前記ＹＣのｓ画像信号を前記ＹＣのｔ画像信号に変換し、前記ＹＣのｔ画像信号を前記メモリの第２の領域に書き込む
前記（１）〜（３）のいずれかに記載の信号処理回路。
（６）
メモリと、
光学系を介して撮像面に結像した被写体像に基づいてＲＡＷデータを出力する撮像素子と、
前記ＲＡＷデータを補正する補正部と、
補正された前記ＲＡＷデータを、第１の解像度としたＲＧＢのｓ画像信号に色分離する色分離部と、
前記ＲＧＢのｓ画像信号を輝度信号Ｙと色信号Ｃに分離したＹＣのｓ画像信号をメモリの第１の領域に書き込む第１の現像部と、
前記ＲＧＢのｓ画像信号を、前記ＲＧＢのｓ画像信号とは異なる解像度としたＲＧＢのｔ画像信号に変換する第１の解像度変換部と、
前記ＲＧＢのｔ画像信号を輝度信号Ｙと色信号Ｃに分離したＹＣのｔ画像信号を前記メモリの第２の領域に書き込む第２の現像部と、
所定のインターフェース規格による伝送路によって周辺機器に接続され、前記第１の領域に対して前記ＹＣのｓ画像信号の読み出し若しくは書込みを行い、又は前記第２の領域に対して前記ＹＣのｔ画像信号を読み出し若しくは書込みを行って、前記周辺機器に前記ＹＣのｓ画像信号又は前記ＹＣのｔ画像信号を入出力するインターフェース部と、
前記インターフェース部から入力した前記ＹＣのｓ画像信号、若しくは前記ＹＣのｔ画像信号をエンコードしてメディアに出力し、又は前記メディアから入力した前記ＹＣのｓ画像信号又は前記ＹＣのｔ画像信号をデコードして前記インターフェース部に出力するコーデックと、を備える
撮像装置。
（７）
ＲＡＷデータを、第１の解像度としたＲＧＢのｓ画像信号に色分離する手順、
前記ＲＧＢのｓ画像信号を輝度信号Ｙと色信号Ｃに分離したＹＣのｓ画像信号をメモリの第１の領域に書き込む手順、
前記ＲＧＢのｓ画像信号を、前記ＲＧＢのｓ画像信号とは異なる解像度としたＲＧＢのｔ画像信号に変換する手順、
前記ＲＧＢのｔ画像信号を輝度信号Ｙと色信号Ｃに分離したＹＣのｔ画像信号を前記メモリの第２の領域に書き込む手順、
所定のインターフェース規格による伝送路によって周辺機器に接続されるインターフェース部が、前記第１の領域に対して前記ＹＣのｓ画像信号の読み出し若しくは書込みを行い、又は前記第２の領域に対して前記ＹＣのｔ画像信号を読み出し若しくは書込みを行って、前記周辺機器に前記ＹＣのｓ画像信号又は前記ＹＣのｔ画像信号を入出力する手順とを
コンピュータに実行させるプログラム。
【符号の説明】
【００８５】
１…カムコーダ、２…光学系、３…撮像素子、４…信号処理回路、２１…補正部、２２…色分離部、２３…第１の現像部、２４…第１の解像度変換部、２５…第２の現像部、２６…解像度変換部、２６…第２の解像度変換部、２７…第３の解像度変換部、２８…制御部、２９…コーデックインターフェース、３０…表示インターフェース、３３…メモリインターフェース、３４…メモリ
【図１】
2014093656.tif 000003
【図２】
2014093656.tif 000004
【図３】
2014093656.tif 000005
【図４】
2014093656.tif 000006
【図５】
2014093656.tif 000007
【図６】
2014093656.tif 000008